(57)【要約】【課題】  就寝、起床、あるいはベッドの上で休息、読書等をする際に、酸素富化空気の吹き出し口が邪魔にならず、寝ている人の位置、向きに関わらず酸素富化空気が効率よく得られ、快適に休養できる寝具用酸素富化空気供給装置及びそれを用いたベッドを提供する。【解決手段】  ベッドのヘッドボード側面に酸素富化空気の吹き出し口を設ける構成、ベッドのヘッドボード側面に厚みが薄い吹き出し装置を設ける構成、またはマットの内部に酸素富化空気の吹き出し口を設ける構成とする。【選択図】  図１
2007130035.tif 000002
【特許請求の範囲】
【請求項１】
空気を導入し、酸素富化膜を通過させて、酸素富化空気を生成する酸素富化装置と、該酸素富化装置の酸素富化空気取り出し口と連通し、酸素富化空気を外部に供給する吹き出し口を有するベッド用ヘッドボードを備えてなることを特徴とする寝具用酸素富化空気供給装置。
【請求項２】
空気を導入し、酸素富化膜を通過させて、酸素富化空気を生成する酸素富化装置と、該酸素富化装置の酸素富化空気取り出し口と連通し、酸素富化空気を外部に供給する複数の吹き出し口を、実質的に同一の直線上または同一の平面状に有する吹き出し装置と、該吹き出し装置をベッドのヘッドボード側面に固定する手段を備えてなることを特徴とする寝具用酸素富化空気供給装置。
【請求項３】
空気を導入し、酸素富化膜を通過させて、酸素富化空気を生成する酸素富化装置と、該酸素富化装置の酸素富化空気取り出し口と連通し、酸素富化空気を外部に供給する吹き出し口を内蔵するマットを備えてなることを特徴とする寝具用酸素富化空気供給装置。
【請求項４】
吹き出し装置をベッドのヘッドボード側面に固定する手段が、吹き出し装置をヘッドボードの上端部から吊るす手段、吹き出し装置をヘッドボードの側面端部で支える手段、吹き出し装置をヘッドボードに固定具により巻付ける手段、吹き出し装置の裏面に設けられる接着手段、及び吹き出し装置をヘッドボードの凹凸部に嵌合する手段から選ばれる少なくとも１手段である請求項２に記載の寝具用酸素富化空気供給装置。
【請求項５】
酸素富化空気の吹き出し口が、各吹き出し口ごとに、風量及び／または風向が制御可能である請求項１または請求項２に記載の寝具用酸素富化装置。
【請求項６】
酸素富化空気の吹き出し口が、風向を左右に制御可能なブレード及び／または風向を上下に制御可能なブレードを有する請求項１または請求項２に記載の寝具用酸素富化空気供給装置。
【請求項７】
ヘッドボードに装置の制御部及び／または表示部を設けた請求項１乃至請求項３のいずれかに記載の寝具用酸素富化装置。
【請求項８】
吹き出し装置に制御部及び／または表示部を設けた請求項２に記載の寝具用酸素富化装置。
【請求項９】
請求項１乃至請求項８のいずれかに記載の寝具用酸素富化空気供給装置を備えてなることを特徴とするベッド。
【発明の詳細な説明】
【技術分野】
【０００１】
本発明は、寝具用酸素富化空気供給装置、及びその寝具用酸素富化空気供給装置を備えたベッドに関するものである。更に詳細には、就寝、起床、あるいはベッドの上で休息する際に、酸素富化空気の吹き出し口が邪魔にならず、寝ている人の位置、向きに関わらず酸素富化空気が効率よく得られ、快適に休養できる寝具用酸素富化空気供給装置、及びその寝具用酸素富化空気供給装置を備えたベッドに関するものである。
【背景技術】
【０００２】
従来から、寝室あるいはベッドの近辺に酸素富化空気を採り入れて、快適な睡眠を得るための装置、方法が知られている。例えば、特開平６−２９２７２６には、睡眠時に酸素２２〜５０ｖｏｌ％を有する空気を、鼻口孔付近に静かに注ぐ休息方法が開示されている。また、実開平５−４９５６には、酸素富化空気供給装置で生成された酸素富化空気を、寝具構造体に横臥した身体に供給する酸素富化空気供給装置付き寝具が開示されている。
【０００３】
また、酸素富化空気供給装置としては、例えば、特開平５−２２１６０５には、ケーシング外の空気を、吸入口を介してケーシング内に取り入れる吸入送風機と、吸入送風機により吸入された空気が通る酸素富化膜モジュールと、酸素富化膜モジュールから酸素を選択的に透過させこの酸素富化空気をケーシングの外に供給するポンプ手段と、酸素富化膜モジュールにより分離された窒素を主体とする空気を排気口を介してケーシング外に排出する排気送風機とを備えた酸素富化装置が開示されている。また、特開２００４−２６７８８８には、空気から酸素を選択的に分離する酸素選択透過膜と、酸素選択透過膜から酸素富化空気を減圧吸引する減圧手段と、減圧手段に連通し、酸素富化空気を使用者へ導く導管と、導管に連通し、酸素富化空気を使用者に向けて放出する吐出口を有するノズルを備えた酸素富化装置が開示されている。
【０００４】
【特許文献１】実開平５−４９５６号公報
【特許文献２】特開平５−２２１６０５号公報
【特許文献３】特開平６−２９２７２６号公報
【特許文献４】特開２００４−２６７８８８号公報
【発明の開示】
【発明が解決しようとする課題】
【０００５】
しかしながら、特開平６−２９２７２６（実施例）に記載された酸素富化空気供給装置は、パイプを通して人の鼻口孔付近に設置した笠を、酸素富化空気の吹き出し口とした装置であり、寝返りしても邪魔にならない高さに設置することはできるが、就寝あるいは起床の際、これが邪魔になる不都合があるほか、寝ている人の位置、向きによっては酸素富化空気が到達しない不都合があった。また、実開平５−４９５６（図面）に記載された酸素富化空気供給装置も同様な不都合があった。
従って、本発明が解決しようとする課題は、酸素富化空気供給装置が設置されていない場合と同程度に邪魔にならず、寝ている人の位置、向きに関わらず確実に酸素富化空気が得られる寝具用酸素富化空気供給装置、及びその酸素富化空気供給装置が備えられたベッドを提供することである。
【課題を解決するための手段】
【０００６】
本発明者らは、これらの課題を解決すべく鋭意検討した結果、ベッドのヘッドボード側面に酸素富化空気の吹き出し口を設ける構成とすることにより、またはベッドのヘッドボード側面に厚みが薄い吹き出し装置を設ける構成とすることにより、またはマットの内部に酸素富化空気の吹き出し口を設ける構成とすることにより、さらに複数の吹き出し口とすることにより、就寝、起床、あるいはベッドの上で休息、読書等をする際に、酸素富化空気の吹き出し口が邪魔にならず、寝ている人の位置、向きに関わらず酸素富化空気が効率よく得られ、快適に休養できること等を見出し、本発明の寝具用酸素富化空気供給装置及びベッドに到達した。
【０００７】
すなわち本発明は、空気を導入し、酸素富化膜を通過させて、酸素富化空気を生成する酸素富化装置と、該酸素富化装置の酸素富化空気取り出し口と連通し、酸素富化空気を外部に供給する吹き出し口を有するベッド用ヘッドボードを備えてなることを特徴とする寝具用酸素富化空気供給装置である。
また、本発明は、空気を導入し、酸素富化膜を通過させて、酸素富化空気を生成する酸素富化装置と、該酸素富化装置の酸素富化空気取り出し口と連通し、酸素富化空気を外部に供給する複数の吹き出し口を、実質的に同一の直線上または同一の平面状に有する吹き出し装置と、該吹き出し装置をベッドのヘッドボード側面に固定する手段を備えてなることを特徴とする寝具用酸素富化空気供給装置である。
また、本発明は、空気を導入し、酸素富化膜を通過させて、酸素富化空気を生成する酸素富化装置と、該酸素富化装置の酸素富化空気取り出し口と連通し、酸素富化空気を外部に供給する吹き出し口を内蔵するマットを備えてなることを特徴とする寝具用酸素富化空気供給装置である。
また、本発明は、前記のいずれかの寝具用酸素富化空気供給装置を備えてなることを特徴とするベッドである。
【発明の効果】
【０００８】
本発明の寝具用酸素富化空気供給装置及びベッドは、ベッドのヘッドボード側面に設けられた複数の吹き出し口、またはベッドのヘッドボード側面に固定された厚みが薄い吹き出し装置の複数の吹き出し口、またはマットの内部の複数の吹き出し口から、酸素富化空気を供給することができる構成であり、従来から取付けられていた酸素富化空気を供給するための突起物、突出物等がないので、就寝、起床、あるいはベッドの上で休息、読書等をする際に、酸素富化空気供給装置が設置されていない場合と同程度に身動きすることができ、さらに寝ている人の位置、向きに関わらず酸素富化空気が効率よく得られて快適である。
【発明を実施するための最良の形態】
【０００９】
本発明の寝具用酸素富化空気供給装置及びベッドは、一般の家庭で使用される酸素富化空気供給装置及びベッドのほか、ホテル、療養所、病院等で使用される酸素富化空気供給装置及びベッドにも適用される。以下、本発明の寝具用酸素富化空気供給装置及びベッドを、図１〜図９に基づいて詳細に説明するが、本発明がこれらにより限定されるものではない。尚、図１〜図７は、本発明の寝具用酸素富化空気供給装置を適用したベッドの例を示す斜視図である。また、図８は、図１のベッドにおけるヘッドボード、または図２、図３のベッドにおける吹き出し装置の内部構造の一例を示す断面図である。また、図９は、図７のベッドにおけるマットの酸素富化空気の吹き出し口近辺の内部構造の一例を示す断面図である。
【００１０】
本発明の第１の形態の寝具用酸素富化空気供給装置は、図１に示すようなベッド一式のうち、酸素富化装置１とベッド用ヘッドボード２を主要な構成要素とする装置である。また、本発明の第２の形態の寝具用酸素富化空気供給装置は、図２〜図６に示すようなベッド一式のうち、酸素富化装置１と吹き出し装置３を主要な構成要素とする装置である。また、本発明の第３の形態の寝具用酸素富化空気供給装置は、図７に示すようなベッド一式のうち、酸素富化装置１とマット４を主要な構成要素とする装置である。
【００１１】
本発明の寝具用酸素富化空気供給装置及びベッドにおいて使用される酸素富化装置１は、空気を導入し、酸素富化膜を通過させて、酸素富化空気を生成する装置であり、例えば、空気導入口、空気の吸入ファン、平膜式または中空糸式の酸素富化膜、減圧ポンプ、水除去器、及び空気導入口から酸素富化空気の取り出し口までの空気流通経路等を内蔵し、酸素富化膜を通過しなかった空気を外部（室外、家外）へ排気するための排出部を備えたものである。
【００１２】
本発明の第１の形態の寝具用酸素富化空気供給装置においては、図１に示すように、前述のような酸素富化装置１の酸素富化空気取り出し口５が、酸素富化空気の供給管６を経由して、ベッド用ヘッドボード２の吹き出し口７と連通するように構成される。
また、本発明の第２の形態の寝具用酸素富化空気供給装置においては、図２〜図６に示すように、前述のような酸素富化装置１の酸素富化空気取り出し口５が、酸素富化空気の供給管６を経由して、吹き出し装置３に設けられた複数の吹き出し口７と連通するように構成される。そして、複数の吹き出し口７は、図２、図３、図６に示すように、実質的に互いに同一の平面上となるか、あるいは図４、図５に示すように、実質的に互いに同一の直線上となるようにされる。
【００１３】
尚、本発明の第２の形態の寝具用酸素富化空気供給装置において、吹き出し装置３をベッドのヘッドボード２に固定する手段としては特に限定されることはないが、例えば、図２、図３に示すように、吹き出し装置３をヘッドボード２の上端部から吊るす手段８のほか、吹き出し装置をヘッドボードの側面端部で支える手段、吹き出し装置をヘッドボードに固定具により巻付ける手段、図４、図５に示すように、吹き出し装置３の裏面に設けられる接着剤層あるいは吸着盤等の接着手段（図示しない）、及び吹き出し装置をヘッドボードの凹凸部に嵌合する手段等を挙げることができる。
【００１４】
本発明の第１の形態及び第２の形態の寝具用酸素富化空気供給装置においては、酸素富化空気の吹き出し口７として、図１〜図３に示すような吹き出し面、図４〜図６に示すような吹き出し孔のほか、吹き出しノズルを用いることができる。吹き出し面を用いた場合は、図８に示すように、上下方向に可動のブレード１０を設けて、あるいは左右方向に可動のブレードを設けて、風量及び／または風向を制御することができる。また、吹き出し孔、吹き出しノズルを用いた場合においても、例えば孔径を調整することにより、あるいはノズルの方向を変えることにより、風量及び／または風向を制御することができる。また、酸素富化空気の吹き出し面には、寝ている人が誤って手や腕等を吹き出し口の中へ入れないように、通気性カバーを設けることもできる。
【００１５】
本発明の第１の形態の寝具用酸素富化空気供給装置において、ベッド用ヘッドボードの形状は、通常は偏平状の直方体またはこれに類似する形状である。
また、本発明の第２の形態の寝具用酸素富化空気供給装置においては、吹き出し装置の形状には特に制限されることがなく、複数の吹き出し口を同一の平面上に設ける場合は、例えば、偏平状の直方体、角柱、角錐台、円柱、円錐台、楕円柱、楕円錐台、半円柱、半円錐台、またはこれらに類似する形状とすることができるが、直方体等の場合は、頭を角に当てて怪我をする危険性を防止するため、図２、図３に示すように下端の角度を１２０度以上にすることが好ましい。また、複数の吹き出し口を同一の直線上に設ける場合、例えば、図４〜図６に示すように、断面が半円の柱状のほか、断面が半楕円、三角形、正方形、長方形、台形、多角形、またはこれらに類似する形状、好ましくはヘッドボードとの接触面から反対側に向かって凸となるような形状の柱状とすることができる。
【００１６】
本発明の第３の形態の寝具用酸素富化空気供給装置においては、図７に示すように、前述のような酸素富化装置１の酸素富化空気取り出し口５が、酸素富化空気の供給管６を経由して、マット４の吹き出し口７と連通するように構成される。マット４に設けられる吹き出し口７（領域１５）は、図９に示すように、通常はスプリング、ウレタンフォーム等の充填物１１を収納する袋体１２の内部に設置される。また、酸素富化空気が、袋体１０の内部に拡散することなく効率よく吹き出し口７から供給されるように、通常は袋体１２側の面に通気性面１３を有し、その他の面が該通気性面１３より通気性が悪い面か、あるいは非通気性面１４で構成される領域１５からなる。該領域１５は、形状等に限定されることがないが、通常は、立方体、直方体、角柱、角錐台、円柱、円錐台、楕円柱、楕円錐台、半円柱、半円錐台、またはこれらに類似する形状である。また、該領域１５は空隙であってもよいが、通気性の充填物（スプリング、ウレタンフォーム等）が収納されていてもよい。
【００１７】
本発明の第３の形態の寝具用酸素富化空気供給装置において、前記のような吹き出し口７は、通常は図７に示すように、敷布団等により通気性が妨げられない頭部側の端部に設けられるが、例えば通気性の敷布のみを敷いて使用する場合は、頭部乃至肩に相当する位置に設けることもでき、このように吹き出し口７を設けた場合も本発明の範囲内である。
尚、本発明の第３の形態の寝具用酸素富化空気供給装置は、ベッドに装着せずに、そのまま寝具として使用することも可能である。
【００１８】
本発明の寝具用酸素富化空気供給装置においては、いずれの形態であっても、ヘッドボードに装置の制御部及び／または表示部１６を設けることができる。また、第２の形態の場合は、吹き出し装置に装置の制御部及び／または表示部１６を設けることができる。
また、本発明の寝具用酸素富化空気供給装置においては、エアコンと組み合せ、酸素富化装置１の空気導入口に暖風あるいは冷風を取り入れて、暖かい酸素富化空気あるいは冷たい酸素富化空気を、枕もとに供給することもできる。さらに、マイナスイオン発生装置と組み合せることもできる。
【００１９】
本発明のベッドは、前述のような構成の酸素富化空気供給装置を備えてなるベッドである。本発明のベッドにおいて、前述の第２の形態の寝具用酸素富化空気供給装置を用いる場合は、吹き出し装置の複数の吹き出し口を結んで構成される直線または平面が、ヘッドボードと平行になるように設置される。
本発明のベッドは、図１〜図７に示すように設定したベッドであり、酸素富化空気を供給するための突起物、突出物等がないので、身動きする際に酸素富化空気供給装置の存在を無視することが可能であり快適である。また、酸素富化空気の吹き出し領域が広いので、寝ている人の位置、向きに関わらず、酸素を確実に供給することができる。
【００２０】
次に、本発明を実施例により具体的に説明するが、本発明がこれらにより限定されるものではない。
【実施例１】
【００２１】
（寝具用酸素富化空気供給装置の製作）
幅１５０ｃｍ、高さ５０ｃｍ、厚さ６ｃｍのベッド用ヘッドボードの側面に、幅方向に４分割、高さ方向に２分割された幅６０ｃｍ、高さ１５ｃｍ、奥行２ｃｍの吹き出し口を設け、各々の吹き出し面に風向を左右に制御可能なブレードと風向を上下に制御可能なブレードを設置した。また、ヘッドボードの吹き出し口と反対側の側面に、吹き出し口と連通する酸素富化空気の導入口を設けた。さらに、ヘッドボードの側面下部に制御部及び表示部を設けた。
前記ヘッドボードの酸素富化空気の導入口を、空気導入口、空気の吸入ファン、平膜式の酸素富化膜、減圧ポンプ等を備えた酸素富化装置の酸素富化空気取り出し口と接続して、寝具用酸素富化空気供給装置を製作した。
【００２２】
（ベッドの製作）
前記のように製作した寝具用酸素富化空気供給装置のベッド用ヘッドボードを、縦２００ｃｍ、横１０５ｃｍ、高さ３０ｃｍの直方体のベッド台に設置し、さらにベッド台の上にスプリングを内蔵したマットを設置して図１に示すようなベッドを製作した。
酸素富化膜を通過しなかった空気を外部へ排気するための排出管の先端部を室外に出した後、酸素富化装置を稼動した。その結果、ヘッドボードの吹き出し面から広範囲にわたり酸素富化空気が得られることが確認できた。
【実施例２】
【００２３】
（寝具用酸素富化空気供給装置の製作）
直径３０ｍｍ、長さ３６ｃｍの半円筒形の容器の側面（曲面部）に、孔径５ｍｍの孔からなる５個の吹き出し口を、同一の直線上に６ｃｍ間隔で設け、容器の片方の端部を封鎖し、他の片方の端部に前記の吹き出し口と連通する酸素富化空気の導入口を設けて吹き出し装置を製作した。尚、容器の側面（平面部）には、接着層を設けた。
前記吹き出し装置の酸素富化空気の導入口を、空気導入口、空気の吸入ファン、平膜式の酸素富化膜、減圧ポンプ等を備えた酸素富化装置の酸素富化空気取り出し口と接続して、寝具用酸素富化空気供給装置を製作した。
【００２４】
（ベッドの製作）
前記のように製作した寝具用酸素富化空気供給装置の吹き出し装置を、幅１０５ｃｍ、高さ５０ｃｍ、厚さ４ｃｍヘッドボードの側面の中央部に接着した後、このヘッドボードを、縦２００ｃｍ、横１０５ｃｍ、高さ３０ｃｍの直方体のベッド台に設置するとともに、ヘッドボードの側面下部に制御部及び表示部を設け、さらにベッド台の上にスプリングを内蔵したマットを設置して図４に示すようなベッドを製作した。
酸素富化膜を通過しなかった空気を外部へ排気するための排出管の先端部を室外に出した後、酸素富化装置を稼動した。その結果、吹き出し装置から広範囲にわたり酸素富化空気が得られることが確認できた。
【実施例３】
【００２５】
（寝具用酸素富化空気供給装置の製作）
縦１０５ｃｍ、横１０５ｃｍ、厚さ２０ｃｍの直方体の袋体に、スプリングが収納されたマットの端部において、図８に示すような表面が通気性面、その他の面が非通気性面である縦５ｃｍ、横４０ｃｍ、高さ３ｃｍの直方体の吹き出し口を設けた。また、マットの側面に、吹き出し口と連通する酸素富化空気の導入口を設けた。尚、吹き出し口は、３個の吹き出し面に分割されている。
前記マットの酸素富化空気の導入口を、空気導入口、空気の吸入ファン、平膜式の酸素富化膜、減圧ポンプ等を備えた酸素富化装置の酸素富化空気取り出し口と接続して、寝具用酸素富化空気供給装置を製作した。
【００２６】
（ベッドの製作）
前記のように製作した寝具用酸素富化空気供給装置のマットを、縦２００ｃｍ、横１０５ｃｍ、高さ３０ｃｍの直方体のベッド台の上に設置するとともに、ヘッドボードの側面下部に制御部及び表示部を設けて、図６に示すようなベッドを製作した。
酸素富化膜を通過しなかった空気を外部へ排気するための排出管の先端部を室外に出した後、酸素富化装置を稼動した。その結果、マットの吹き出し面から広範囲にわたり酸素富化空気が得られることが確認できた。
【図面の簡単な説明】
【００２７】
【図１】本発明の寝具用酸素富化空気供給装置（第１の形態）を適用したベッドの一例を示す斜視図
【図２】本発明の寝具用酸素富化空気供給装置（第２の形態）を適用したベッドの一例を示す斜視図
【図３】本発明の図２以外の寝具用酸素富化空気供給装置（第２の形態）を適用したベッドの一例を示す斜視図
【図４】本発明の図２、図３以外の寝具用酸素富化空気供給装置（第２の形態）を適用したベッドの一例を示す斜視図
【図５】本発明の図２〜図４以外の寝具用酸素富化空気供給装置（第２の形態）を適用したベッドの一例を示す斜視図
【図６】本発明の図２〜図５以外の寝具用酸素富化空気供給装置（第２の形態）を適用したベッドの一例を示す斜視図
【図７】本発明の寝具用酸素富化空気供給装置（第３の形態）を適用したベッドの一例を示す斜視図
【図８】図１のベッドにおけるヘッドボード、または図２、図３のベッドにおける吹き出し装置の内部構造の一例を示す断面図
【図９】図７のベッドにおけるマットの酸素富化空気の吹き出し口近辺の内部構造の一例を示す断面図
【符号の説明】
【００２８】
１  酸素富化装置
２  ベッド用ヘッドボード
３  吹き出し装置
４  マット
５  酸素富化空気取り出し口
６  酸素富化空気の供給管
７  酸素富化空気の吹き出し口
８  吹き出し装置をヘッドボードに固定する手段
９  酸素富化空気の流通経路
１０  ブレード
１１  充填物
１２  袋体
１３  通気性面
１４  非通気性面
１５  袋体の内部に設けられる吹き出し口の領域
１６  制御部及び／または表示部
【図１】
2007130035.tif 000003
【図２】
2007130035.tif 000004
【図３】
2007130035.tif 000005
【図４】
2007130035.tif 000006
【図５】
2007130035.tif 000007
【図６】
2007130035.tif 000008
【図７】
2007130035.tif 000009
【図８】
2007130035.tif 000010
【図９】
2007130035.tif 000011